(57)【要約】【課題】キャップの固定力を大きくでき、かつキャップを容易に取り外すことができる容器を提供する。【解決手段】容器１０は、胴部１６と口部１８とを有する容器本体１２、およびキャップ１４を備える。口部１８は、外周面において口部１８の径方向の外方に突出する第１面３２ａ、第４面３６ａを有し、キャップ１４は、内周面においてキャップ１４の径方向の内方に突出する第６凸部５０ａを有する。第１面３２ａは、第６凸部５０ａが第１閉位置に位置しているときにキャップ１４が口部１８から外れないように第６凸部５０ａを係止し、かつ口部１８の周方向の第１方向Ｄにおいて第４面３６ａよりも前方に設けられる。第４面３６ａは、第６凸部５０ａが第２閉位置に位置した状態から第４面３６ａ、第７面４０ａを乗り越えてキャップ１４を口部１８から取り外せるように、胴部１６とは反対側に向かって第１面３２ａよりも緩やかな上り勾配となるように形成される。【選択図】図１５
2020040693.tif 000002
【特許請求の範囲】
【請求項１】
胴部と前記胴部から筒状に延びる口部とを有する容器本体、および
前記口部に着脱されるキャップを備え、
前記口部は、前記口部の外周面において前記口部の径方向の外方に突出する第１部分および第２部分を有し、
前記キャップは、前記口部の前記外周面と対向する内周面において前記キャップの径方向の内方に突出する第３部分を有し、
前記第１部分は、前記第３部分が前記第１部分に対向する第１閉位置に位置しているときに前記キャップが前記口部から外れないように前記第３部分を係止し、かつ前記口部の周方向の第１方向において前記第２部分よりも前方に設けられ、
前記第２部分は、前記第３部分が前記第２部分に対向する第２閉位置に位置した状態から前記第２部分を乗り越えて前記キャップを前記口部から取り外せるように、前記胴部とは反対側に向かって前記第１部分よりも緩やかな上り勾配となるように形成される、容器。
【請求項２】
前記口部は、前記口部の外周面において、前記第１部分よりも前記胴部とは反対側から前記口部の径方向の外方に突出する第４部分をさらに有し、
前記第４部分は、前記第３部分が前記第４部分に対向する第１開位置から前記第４部分を乗り越えて前記第１閉位置に移動可能となるように、前記胴部側に向かって前記第１部分よりも緩やかな上り勾配となるように形成される、請求項１に記載の容器。
【請求項３】
前記口部は、前記口部の外周面において、前記第３部分が前記第１開位置に位置しているときに、前記第３部分の少なくとも前記第１方向の前方に位置するように前記口部の径方向の外方に突出する第５部分をさらに有し、
前記第５部分は、前記第１方向側が前記胴部に近づくように形成される、請求項２に記載の容器。
【請求項４】
前記口部は、前記口部の外周面において、前記第２部分よりも前記胴部とは反対側から前記口部の径方向の外方に突出する第６部分をさらに有し、
前記第６部分は、前記第３部分が前記第２閉位置から前記第２部分を乗り越えて前記第６部分に対向する第２開位置に移動可能となり、かつ前記第３部分が前記第２開位置から前記第６部分を乗り越えて前記第２閉位置に移動できないように形成される、請求項２または３に記載の容器。
【請求項５】
前記第６部分は、前記第２部分よりも前記第１方向の後方から前記第４部分に向かって延びる、請求項４に記載の容器。
【請求項６】
前記口部の径方向において、前記第２部分の高さは、前記第１部分の高さよりも低い、請求項１から５のいずれかに記載の容器。
【請求項７】
前記口部は、前記口部の外周面において、前記第３部分が前記第２閉位置に位置しているときに、前記第３部分の少なくとも前記第１方向の後方に位置するように前記口部の径方向の外方に突出する第７部分をさらに有し、
前記第７部分は、前記第１方向側が前記胴部に近づくように形成される、請求項１から６のいずれかに記載の容器。
【発明の詳細な説明】
【技術分野】
【０００１】
この発明は容器に関し、より特定的には、キャップを有する容器に関する。
【背景技術】
【０００２】
キャップを有する容器は空輸されることがある。容器が空輸されているとき、容器の周囲の圧力は下がる。このような減圧環境下では、容器の内部の圧力が上がり、キャップが外れてしまうおそれがある。そこで、特許文献１では、外周面に環状締付フランジ１４が形成される容器口部２、および容器口部２に取り付けられる容器蓋１６が提案されている。環状締付フランジ１４は、下方に向かって半径方向外方に傾斜した上面１４ａ、および下方に向かって半径方向内方に傾斜した下面１４ｂを有する。容器蓋１６の内周面には係止突条２８が形成される。係止突条２８が、環状締付フランジ１４を乗り越えて環状締付フランジ１４の下面１４ｂに係合することによって、容器蓋１６は容器口部２に安定して保持され、空輸時における上記弊害を抑制できる。
【先行技術文献】
【特許文献】
【０００３】
【特許文献１】実開昭５７−１５１２３７号公報
【発明の概要】
【発明が解決しようとする課題】
【０００４】
特許文献１では、係止突条２８が、環状締付フランジ１４の下面１４ｂを乗り越えて環状締付フランジ１４の上面１４ａ側に移動することによって、容器蓋１６を容器口部２から取り外すことができる。しかしながら、特許文献１では、環状締付フランジ１４の下面１４ｂの傾きは、容器口部２の全周に亘って同様に形成されている。したがって、容器蓋１６を容器口部２から取り外すときに、環状締付フランジ１４の下面１４ｂを係止突条２８が乗り越えることは容易ではなく、容器蓋１６を容器口部２から取り外すことは容易ではない。
【０００５】
それゆえにこの発明の主たる目的は、キャップの固定力を大きくでき、かつキャップを容易に取り外すことができる、容器を提供することである。
【課題を解決するための手段】
【０００６】
上述の目的を達成するために、胴部と胴部から筒状に延びる口部とを有する容器本体、および口部に着脱されるキャップを備え、口部は、口部の外周面において口部の径方向の外方に突出する第１部分および第２部分を有し、キャップは、口部の外周面と対向する内周面においてキャップの径方向の内方に突出する第３部分を有し、第１部分は、第３部分が第１部分に対向する第１閉位置に位置しているときにキャップが口部から外れないように第３部分を係止し、かつ口部の周方向の第１方向において第２部分よりも前方に設けられ、第２部分は、第３部分が第２部分に対向する第２閉位置に位置した状態から第２部分を乗り越えてキャップを口部から取り外せるように、胴部とは反対側に向かって第１部分よりも緩やかな上り勾配となるように形成される、容器が提供される。
【０００７】
この発明によれば、口部は、口部の外周面において口部の径方向の外方に突出する第１部分および第２部分を有する。第２部分は、胴部とは反対側に向かって第１部分よりも緩やかな上り勾配となるように形成される。言い換えると、第１部分は、胴部とは反対側に向かって第２部分よりも急勾配となるように形成される。したがって、キャップを口部に装着するときには、第２部分よりも急勾配となるように形成される第１部分が第３部分を係止することによって、キャップを口部から外れないように装着できる。一方、キャップを口部から取り外すときには、第１部分よりも緩やかな上り勾配となるように形成される第２部分を第３部分が乗り越えることができる程度の力をキャップに加えることによって、キャップを口部から容易に取り外すことができる。このように、キャップが口部から外れないように第３部分を係止する第１部分の傾きと、キャップを口部から取り外すために第３部分が乗り越える第２部分の傾きとが異なるので、キャップの固定力を大きくできるとともに、キャップを容易に取り外すことができる。
【０００８】
好ましくは、口部は、口部の外周面において、第１部分よりも胴部とは反対側から口部の径方向の外方に突出する第４部分をさらに有し、第４部分は、第３部分が第４部分に対向する第１開位置から第４部分を乗り越えて第１閉位置に移動可能となるように、胴部側に向かって第１部分よりも緩やかな上り勾配となるように形成される。この場合、第３部分が第４部分を乗り越えて第１閉位置に移動するときに、クリック感を生じる。したがって、キャップが口部に装着されたことをクリック感によって知ることができるので、キャップを口部により確実に装着できる。
【０００９】
また好ましくは、口部は、口部の外周面において、第３部分が第１開位置に位置しているときに、第３部分の少なくとも第１方向の前方に位置するように口部の径方向の外方に突出する第５部分をさらに有し、第５部分は、第１方向側が胴部に近づくように形成される。この場合、キャップを第１方向に回転させることによって、第３部分は、第５部分を乗り越えることなく、第５部分に沿って、第１方向に移動しながら胴部に近づくように移動する。したがって、キャップを回転させることによって、第３部分は第４部分を乗り越えて第１閉位置に移動できるので、キャップを口部に容易に装着できる。
【００１０】
さらに好ましくは、口部は、口部の外周面において、第２部分よりも胴部とは反対側から口部の径方向の外方に突出する第６部分をさらに有し、第６部分は、第３部分が第２閉位置から第２部分を乗り越えて第６部分に対向する第２開位置に移動可能となり、かつ第３部分が第２開位置から第６部分を乗り越えて第２閉位置に移動できないように形成される。この場合、第６部分は、キャップを口部に装着するときに、第３部分が第２閉位置に位置しないように、第３部分を係止する。したがって、第３部分が第２開位置を通り、第２閉位置を通って第１閉位置に移動してキャップが口部に装着されることを防止し、第３部分が第１開位置から第１閉位置に移動することによってキャップを口部に装着できる。これによって、キャップが口部に装着されたことをクリック感によって知ることができるので、キャップを口部により確実に装着できる。
【００１１】
好ましくは、第６部分は、第２部分よりも第１方向の後方から第４部分に向かって延びる。この場合、キャップを口部に被せたとき、第３部分が、第１開位置に位置せず第６部分に接触したとしても、キャップを第１方向に回転させることによって、第３部分を第４部分に向かって移動させることができる。したがって、キャップを口部に装着するときに、第３部分を第１開位置に容易に移動させることができるので、キャップを口部に容易に装着できる。
【００１２】
また好ましくは、口部の径方向において、第２部分の高さは、第１部分の高さよりも低い。この場合、第１部分の高さは、第２部分の高さよりも高い。したがって、キャップを口部に装着するときには、第２部分よりも高さが高い第１部分が第３部分を係止することによって、キャップを口部から外れないように装着できる。一方、キャップを口部から取り外すときには、第１部分よりも高さが低い第２部分を第３部分が乗り越えることによって、キャップを口部から容易に取り外すことができる。このように、キャップの固定力をさらに大きくできるとともに、キャップをさらに容易に取り外すことができる。
【００１３】
さらに好ましくは、口部は、口部の外周面において、第３部分が第２閉位置に位置しているときに、第３部分の少なくとも第１方向の後方に位置するように口部の径方向の外方に突出する第７部分をさらに有し、第７部分は、第１方向側が胴部に近づくように形成される。この場合、キャップを第１方向とは反対向きに回転させることによって、第３部分は、第７部分を乗り越えることなく、第７部分に沿って、第１方向とは反対向きに移動しながら胴部から離れるように移動する。したがって、キャップを回転させることによって、第３部分は第２部分を乗り越えて第２開位置に移動できるので、キャップを口部から容易に取り外すことができる。
【発明の効果】
【００１４】
この発明によれば、キャップの固定力を大きくでき、かつキャップを容易に取り外すことができる、容器が得られる。
【図面の簡単な説明】
【００１５】
【図１】この発明の一実施形態に係る容器を示す斜視図である。
【図２】容器本体とキャップとを分離した状態を示す斜視図である。
【図３】容器本体の口部を示す正面図である。
【図４】容器本体の口部を示す平面図である。
【図５】図３のＥ−Ｅ断面図である。
【図６】図３のＦ−Ｆ断面図である。
【図７】図３のＧ−Ｇ断面図である。
【図８】図３のＨ−Ｈ断面図である。
【図９】キャップを示す斜視図である。
【図１０】キャップを示す底面図である。
【図１１】図１０のＭ−Ｍ断面図である。
【図１２】キャップを口部に被せた状態を示す斜視図である。
【図１３】第６凸部が第５面に接触した状態を示す斜視図である。
【図１４】第６凸部を第１開位置に位置させた状態を示す斜視図である。
【図１５】第６凸部を第１閉位置に位置させた状態を示す斜視図である。
【図１６】第６凸部を第２閉位置に位置させた状態を示す斜視図である。
【図１７】第６凸部を第２閉位置から第２開位置に移動させている途中の状態を示す斜視図である。
【図１８】第６凸部を第２開位置に位置させた状態を示す斜視図である。
【図１９】第６凸部を第１開位置に位置させた状態を示す断面図である（図３のＥ−Ｅで切った状態を示す）。
【図２０】第６凸部を第１閉位置に位置させた状態を示す断面図である（図３のＥ−Ｅで切った状態を示す）。
【図２１】第６凸部を第２閉位置に位置させた状態を示す断面図である（図３のＦ−Ｆで切った状態を示す）。
【図２２】第６凸部を第２閉位置から第２開位置に移動させている途中の状態を示す断面図である（図３のＦ−Ｆで切った状態を示す）。
【図２３】第６凸部を第２開位置に位置させた状態を示す断面図である（図３のＦ−Ｆで切った状態を示す）。
【発明を実施するための形態】
【００１６】
以下、図面を参照してこの発明の好ましい実施形態について説明する。
【００１７】
なお、この発明の実施形態において、口部の軸方向とは図２、図３および図５〜図７において矢印Ａで示す方向、口部の径方向とは図２、図４および図８において矢印Ｂで示す方向、口部の周方向とは図２、図４および図８において矢印Ｃで示す方向である。
【００１８】
図１および図２を参照して、この発明の一実施形態に係る容器１０は、容器本体１２、および容器本体１２に着脱されるキャップ１４を含む。容器本体１２は、一端部が開口している筒状の胴部１６、および胴部１６の一端部から筒状に延びる口部１８を有する。
【００１９】
図２〜図４を参照して、口部１８は、外周面に形成される複数（この実施形態では、４個）の嵌合部２０ａ〜２０ｄを有する。嵌合部２０ａ〜２０ｄは、相互に同形状、同寸法に設定される。嵌合部２０ａ〜２０ｄは、口部１８の周方向において、９０度ずつずれるように形成され、かつ連続して形成される。
【００２０】
嵌合部２０ａは、口部１８の外周面において、口部１８の径方向の外方に突出する第１凸部２２ａ、第２凸部２４ａ、第３凸部２６ａ、第４凸部２８ａ、および第５凸部３０ａを有する。
【００２１】
図２〜図５を参照して、第１凸部２２ａは、口部１８の軸方向の中央よりも胴部１６側において、口部１８の周方向に直線状に延びる。第１凸部２２ａは、第１面３２ａ、第２面３３ａ、および第３面３４ａを有する。第１面３２ａは、胴部１６とは反対側に向かって上り勾配となるように形成される。第２面３３ａは、第１面３２ａよりも胴部１６とは反対側から胴部１６側に向かって第１面３２ａよりも緩やかな上り勾配となるように形成される。すなわち、第１面３２ａは、口部１８の径方向の外方に突出するように形成され、第２面３３ａは、第１面３２ａよりも胴部１６とは反対側から口部１８の径方向の外方に突出するように形成される。この実施形態では、第１面３２ａの上り勾配は、略９０度に設定される。第３面３４ａは、口部１８の軸方向において第１面３２ａと第２面３３ａとを繋ぐ。第３面３４ａは、第２面３３ａよりも口部１８の径方向の外方に突出しないように形成される。
【００２２】
図２〜図４および図６を参照して、第２凸部２４ａは、口部１８の周方向の第１方向Ｄにおいて、第１凸部２２ａよりも後方に形成され、かつ第１凸部２２ａの後端部に繋がるように形成される。第２凸部２４ａは、第４面３６ａ、第５面３７ａ、第６面３８ａ、および第７面４０ａを有する。第４面３６ａは、胴部１６とは反対側に向かって上り勾配となるように形成される。第５面３７ａは、第４面３６ａと第１面３２ａとを繋ぐように形成される（第４面３６ａとの境界を図２、図３および図１２〜図１８において二点鎖線で示す）。第６面３８ａは、第４面３６ａおよび第５面３７ａよりも胴部１６とは反対側から胴部１６側に向かって上り勾配となるように形成される。すなわち、第４面３６ａおよび第５面３７ａは、口部１８の径方向の外方に突出するように形成され、第６面３８ａは、第４面３６ａおよび第５面３７ａよりも胴部１６とは反対側から口部１８の径方向の外方に突出するように形成される。第４面３６ａは、第１方向Ｄにおいて第１面３２ａよりも後方に形成され、かつ第１面３２ａよりも緩やかな上り勾配となるように形成される（図５および図６参照）。口部１８の径方向において、第４面３６ａの高さＴ１は、第１面３２ａの高さＴ２よりも低い（図５および図６参照）。第６面３８ａは、第１方向Ｄにおいて、第２面３３ａよりも後方から第２面３３ａに向かって延び、かつ第２面３３ａの後端部に繋がるように形成される。第６面３８ａは、第２面３３ａおよび第４面３６ａよりも急勾配となるように形成される（図５および図６参照）。この実施形態では、断面Ｆ−Ｆにおける第６面３８ａの上り勾配は、略９０度に設定される（図６参照）。第７面４０ａは、口部１８の軸方向において第４面３６ａおよび第５面３７ａと第６面３８ａとを繋ぐ。第７面４０ａは、第４面３６ａおよび第５面３７ａよりも口部１８の径方向の外方に突出しないように形成される。第７面４０ａのうち第４面３６ａと第６面３８ａとを繋ぐ部分（第４面３６ａの上方に位置する部分）の口部１８の径方向における高さは、第１面３２ａの高さＴ２よりも低い（図５および図６参照）。
【００２３】
図２〜図５および図８を参照して、第３凸部２６ａは、第１凸部２２ａよりも胴部１６とは反対側から第１方向Ｄ側が胴部１６に近づくように延び、かつ第１方向Ｄにおける第１凸部２２ａの前端部に繋がるように形成される（第５凸部３０ｄ（後述）との境界を図２、図３および図１２〜図１８において二点鎖線で示す）。第３凸部２６ａは、第１方向Ｄに向かって上り勾配となる第８面４２ａ、第９面４４ａ、および第１０面４５ａを有する。すなわち、第８面４２ａ、第９面４４ａ、および第１０面４５ａは、口部１８の径方向の外方に突出するように形成される。第８面４２ａは、第１方向Ｄにおける第３凸部２６ａの後端部に形成され、かつ胴部１６に近づくほど第１方向Ｄ側に位置するように傾斜する。第９面４４ａは、第８面４２ａの胴部１６側から第１方向Ｄ側が胴部１６に近づくように延びる。第９面４４ａは、第１方向Ｄにおける第１面３２ａの前端部、第２面３３ａの前端部、および第３面３４ａの前端部に繋がるように形成される。第９面４４ａは、第２面３３ａよりも急勾配となるように形成される（図５および図８参照）。第９面４４ａは、口部１８の径方向において、第１面３２ａ、第２面３３ａ、および第３面３４ａよりも外方に突出するように形成される（図８参照）。第１０面４５ａは、第９面４４ａの胴部１６側に繋がるように形成される。
【００２４】
図２〜図４および図８を参照して、第４凸部２８ａは、第１方向Ｄにおける第２凸部２４ａの後部に沿って形成され、かつ第２凸部２４ａに繋がるように形成される（第５凸部３０ａとの境界を図２、図３および図１２〜図１８において二点鎖線で示す）。第４凸部２８ａは、第１方向Ｄとは反対側に向かって上り勾配となるように形成される第１１面４６ａを有する。すなわち、第１１面４６ａは、口部１８の径方向の外方に突出するように形成される。第１１面４６ａは、第１方向Ｄにおける第４面３６ａの後部に沿って第１方向Ｄ側が胴部１６に近づくように延び、かつ第４面３６ａに繋がるように形成される。第１１面４６ａは、第４面３６ａよりも急勾配となるように形成される（図６および図８参照）。第１１面４６ａは、口部１８の径方向において、第４面３６ａ、第５面３７ａ、第６面３８ａ、および第７面４０ａよりも外方に突出するように形成される（図４参照）。
【００２５】
図２〜図４、図７および図８を参照して、第５凸部３０ａは、第１方向Ｄにおいて、第２凸部２４ａおよび第４凸部２８ａよりも後方から第２凸部２４ａおよび第４凸部２８ａに向かって延び、かつ第２凸部２４ａおよび第４凸部２８ａに繋がるように形成される。第１方向Ｄにおける第５凸部３０ａの後部は、第３凸部２６ｂ（後述）に繋がるように形成される（第３凸部２６ｂとの境界を図２、図３および図１２〜図１８において二点鎖線で示す）。第５凸部３０ａは、胴部１６側に向かって上り勾配となるように形成される第１２面４８ａを有する。すなわち、第１２面４８ａは、口部１８の径方向の外方に突出するように形成される。第１２面４８ａは、第１方向Ｄにおいて、第４面３６ａ、第６面３８ａおよび第１１面４６ａよりも後方から、第４面３６ａ、第６面３８ａおよび第１１面４６ａに向かって延び、かつ第６面３８ａおよび第１１面４６ａに繋がるように形成される。第１方向Ｄにおける第１２面４８ａの後端部は、第８面４２ｂ（後述）に繋がるように形成される。第１２面４８ａは、第２面３３ａよりも急勾配となるように形成される（図５および図７参照）。
【００２６】
上述したように、嵌合部２０ｂ〜２０ｄはそれぞれ、嵌合部２０ａと同形状、同寸法に設定され、上述した嵌合部２０ａの説明において各部の符号の末尾「ａ」を「ｂ」〜「ｄ」に読み替えることによって容易に理解できるので、嵌合部２０ｂ〜２０ｄの説明は省略する。なお、嵌合部２０ｂ〜２０ｄの各部については必要に応じて、嵌合部２０ａの対応する各部の符号の末尾「ａ」を「ｂ」〜「ｄ」に差し替えて図示されている。
【００２７】
図９〜図１１を参照して、キャップ１４は、一端部が開口している筒状に形成される。ここで、キャップ１４の軸方向とは図２、図９および図１１において矢印Ｉで示す方向、キャップ１４の径方向とは図２、図９および図１０において矢印Ｊで示す方向、キャップ１４の周方向とは図２、図９および図１０において矢印Ｋで示す方向である。キャップ１４は、嵌合部２０ａ〜２０ｄのそれぞれと嵌合可能となるように内周面に形成される複数（この実施形態では、４個）の第６凸部５０ａ〜５０ｄを有する。
【００２８】
第６凸部５０ａ〜５０ｄは、相互に同形状、同寸法に設定され、キャップ１４の周方向に等間隔（この実施形態では、９０度間隔）に形成される。第６凸部５０ａ〜５０ｄはそれぞれ、キャップ１４の軸方向の一端の近傍において、キャップ１４の周方向に直線状に延びる。ここで、キャップ１４の一端とは、キャップ１４の軸方向における開口端をいい、キャップ１４の他端とは、キャップ１４の軸方向における閉口端をいう。
【００２９】
第６凸部５０ａは、キャップ１４の周方向の第２方向Ｌに向かって上り勾配となるように形成される第１３面５２ａ、キャップ１４の他端側に向かって上り勾配となるように形成される第１４面５４ａ、およびキャップ１４の一端側に向かって上り勾配となるように形成される第１５面５６ａを有する。第１３面５２ａは、第２方向Ｌ側がキャップ１４の一端に近づくように形成される。この実施形態では、第１３面５２ａ、第１４面５４ａおよび第１５面５６ａの上り勾配は、略９０度に設定される。
【００３０】
上述したように、第６凸部５０ｂ〜５０ｄはそれぞれ、第６凸部５０ａと同形状、同寸法に設定され、上述した第６凸部５０ａの説明において各部の符号の末尾「ａ」を「ｂ」〜「ｄ」に読み替えることによって容易に理解することができるので、第６凸部５０ｂ〜５０ｄの説明は省略する。なお、第６凸部５０ｂ〜５０ｄの各部については必要に応じて、第６凸部５０ａの対応する各部の符号の末尾「ａ」を「ｂ」〜「ｄ」に差し替えて図示されている。
【００３１】
この実施形態では、第１面３２ａ〜３２ｄがそれぞれ第１部分に相当し、第４面３６ａ〜３６ｄがそれぞれ第２部分に相当し、第６凸部５０ａ〜５０ｄがそれぞれ第３部分に相当し、第２面３３ａ〜３３ｄがそれぞれ第４部分に相当し、第９面４４ａ〜４４ｄがそれぞれ第５部分に相当する。また、第６面３８ａおよび第１２面４８ａが第６部分に相当する。同様に、第６面３８ｂおよび第１２面４８ｂ、第６面３８ｃおよび第１２面４８ｃ、ならびに第６面３８ｄおよび第１２面４８ｄがそれぞれ第６部分に相当する。第１１面４６ａ〜４６ｄがそれぞれ第７部分に相当する。
【００３２】
図１２〜図１８を参照して、キャップ１４を口部１８に着脱する方法を説明する。なお、図１２〜図１８では、図面が煩雑になることを避けるため、第６凸部５０ｂ〜５０ｄの図示を省略する。また、キャップ１４の外形を一点鎖線で示し、第６凸部５０ａを破線で示す。
【００３３】
図１２を参照して、まず、キャップ１４を口部１８に被せる。このとき、第６凸部５０ａが第６面３８ａに接触すると、第４面３６ａよりも胴部１６とは反対側に第６面３８ａが形成されているので、第６凸部５０ａは、第２閉位置（後述）に位置しないように第６面３８ａに係止される。この実施形態では、断面Ｆ−Ｆにおける第６面３８ａの上り勾配および第１４面５４ａの上り勾配は略９０度に設定されるので、第６面３８ａは、第６凸部５０ａをより確実に係止できる。キャップ１４を口部１８に被せたときに、第６凸部５０ａが第１２面４８ａに接触することもある。第１２面４８ａは第６面３８ａに繋がっている。したがって、第６凸部５０ａが第１２面４８ａに接触した場合、キャップ１４を第１方向Ｄに回転させれば、第６凸部５０ａは第１２面４８ａおよび第６面３８ａに沿って移動し、図１２で示す位置に第６凸部５０ａを移動させることができる。
【００３４】
図１２および図１４を参照して、図１２の状態からキャップ１４をさらに第１方向Ｄに回転させると、第６凸部５０ａは第６面３８ａに沿って移動する。そして、やがて第６凸部５０ａは、第２面３３ａおよび第９面４４ａに接触する。第６凸部５０ａが第２面３３ａおよび第９面４４ａに接触したとき、第６凸部５０ａは、口部１８の軸方向において第２面３３ａに対向する。このように、第６凸部５０ａが第２面３３ａに対向する位置を第１開位置とする（図１４および図１９参照）。また、図１２および図１３を参照して、第８面４２ａは胴部１６に近づくほど第１方向Ｄ側に位置するように傾斜する。したがって、図１３に示すように、図１２の状態からキャップ１４を第１方向Ｄに回転させたときに、第６凸部５０ａが第８面４２ａに接触しても、そのままキャップ１４を第１方向Ｄに回転させると、第６凸部５０ａは第８面４２ａに沿って第１方向Ｄに移動しながら胴部１６側に移動する。これによって、第６凸部５０ａを第１開位置に容易に移動させることができ、キャップ１４の取り付けが容易になる。
【００３５】
図１４および図１５を参照して、図１４の状態からキャップ１４をさらに第１方向Ｄに回転させる。第６凸部５０ａが第１開位置に位置しているとき、第９面４４ａは第６凸部５０ａの少なくとも第１方向Ｄの前方に位置するように形成される。すなわち、第６凸部５０ａが第１開位置に位置しているとき、第９面４４ａは第６凸部５０ａの少なくとも第１方向Ｄの前方に位置する部分を有する。したがって、図１４の状態からキャップ１４をさらに第１方向Ｄに回転させると、第６凸部５０ａは、第９面４４ａに沿って第１方向Ｄに移動しながら胴部１６側へ移動する。これに伴って、第６凸部５０ａは第２面３３ａに沿って口部１８の径方向の外方へと徐々に押し上げられる。これによって、キャップ１４は第６凸部５０ａが形成されている付近において口部１８の径方向の外方に膨らむ。そして、第６凸部５０ａは、第２面３３ａおよび第３面３４ａを乗り越えると、口部１８の径方向の内方へと戻る。第６凸部５０ａが第２面３３ａおよび第３面３４ａを乗り越えて口部１８の径方向の内方へと戻ると、第６凸部５０ａは、第１０面４５ａに接触し、キャップ１４が第１方向Ｄに回転しないように第１０面４５ａに係止されるとともに、口部１８の軸方向において第１面３２ａに対向する。このように、第６凸部５０ａが第１面３２ａに対向する位置を第１閉位置とする（図１５および図２０参照）。第６凸部５０ａが第１閉位置に位置しているとき、第１面３２ａは、第６凸部５０ａよりも胴部１６とは反対側から第６凸部５０ａを係止する。したがって、第６凸部５０ａが第１閉位置に位置しているとき、キャップ１４は、口部１８から外れないように口部１８に装着された状態となる。この実施形態では、第１面３２ａおよび第１５面５６ａの上り勾配は略９０度に設定されるので、第１面３２ａは、キャップ１４が口部１８から外れないように、第１５面５６ａをより確実に係止できる。なお、第６凸部５０ａが第１開位置に位置しているときにキャップ１４を胴部１６側に押し込むことによって、キャップ１４を口部１８に装着することもできる。
【００３６】
この実施形態では、キャップ１４が口部１８に装着された状態において、キャップ１４の軸方向と口部１８の軸方向、キャップ１４の径方向と口部１８の径方向、キャップ１４の周方向と口部１８の周方向、および第１方向Ｄと第２方向Ｌとがそれぞれ一致する。
【００３７】
図１５および図１６を参照して、キャップ１４を口部１８から取り外すときには、まずキャップ１４を第１方向Ｄとは反対向きに回転させる。そうすると、第６凸部５０ａは、第１１面４６ａに接触する。第６凸部５０ａが第１１面４６ａに接触したとき、第６凸部５０ａは、口部１８の軸方向において第４面３６ａに対向する。このように、第６凸部５０ａが第４面３６ａに対向する位置を第２閉位置とする（図１６および図２１参照）。
【００３８】
図１６〜図１８を参照して、図１６の状態からキャップ１４をさらに第１方向Ｄとは反対向きに回転させる。第６凸部５０ａが第２閉位置に位置しているとき、第１１面４６ａは第６凸部５０ａの少なくとも第１方向Ｄの後方に位置するように形成される。すなわち、第６凸部５０ａが第２閉位置に位置しているとき、第１１面４６ａは第６凸部５０ａの少なくとも第１方向Ｄの後方に位置する部分を有する。したがって、図１６の状態からキャップ１４をさらに第１方向Ｄとは反対向きに回転させると、第６凸部５０ａは、第１１面４６ａに沿って第１方向Ｄとは反対向きに移動しながら胴部１６とは反対側へ移動する。これに伴って、第６凸部５０ａは第４面３６ａに沿って口部１８の径方向の外方へと徐々に押し上げられる（図１７および図２２参照）。これによって、キャップ１４は第６凸部５０ａが形成されている付近において口部１８の径方向の外方に膨らむ。そして、第６凸部５０ａは、第４面３６ａおよび第７面４０ａを乗り越えると、口部１８の径方向の内方へと戻る。第６凸部５０ａが第４面３６ａおよび第７面４０ａを乗り越えて口部１８の径方向の内方へと戻ると、第６凸部５０ａは、口部１８の軸方向において第６面３８ａに対向する。このように、第６凸部５０ａが第６面３８ａに対向する位置を第２開位置とする（図１８および図２３参照）。なお、第１３面５２ａは第１方向Ｄ側が胴部１６に近づくように形成されるので、第６凸部５０ａを第１１面４６ａに沿ってスムーズに移動させることができる。また、第１１面４６ａは第４面３６ａよりも急勾配となるように形成され、かつ第１３面５２ａの上り勾配は略９０度となるように設定されるので、第６凸部５０ａは、第１１面４６ａを乗り越えることなく第１１面４６ａに沿ってより確実に移動できる。第６凸部５０ａが第２開位置の状態において、キャップ１４を胴部１６とは反対側に移動させれば、キャップ１４を口部１８から取り外すことができる。
【００３９】
なお、上述の説明では、第６凸部５０ａが嵌合部２０ａと嵌合する場合について説明したが、同様に第６凸部５０ｂは嵌合部２０ｂと、第６凸部５０ｃは嵌合部２０ｃと、第６凸部５０ｄは嵌合部２０ｄと嵌合する。また、第６凸部５０ａは、嵌合部２０ｂ〜２０ｄのいずれかと嵌合することもでき、この場合、各第６凸部５０ｂ〜５０ｄは、対応する各嵌合部２０ａ〜２０ｄと嵌合する。
【００４０】
このような容器１０によれば、口部１８は、口部１８の外周面において口部１８の径方向の外方に突出する第１面３２ａおよび第４面３６ａを有する。第４面３６ａは、胴部１６とは反対側に向かって第１面３２ａよりも緩やかな上り勾配となるように形成される。言い換えると、第１面３２ａは、胴部１６とは反対側に向かって第４面３６ａよりも急勾配となるように形成される。したがって、キャップ１４を口部１８に装着するときには、第４面３６ａよりも急勾配となるように形成される第１面３２ａが第６凸部５０ａを係止することによって、キャップ１４を口部１８から外れないように装着できる。一方、キャップ１４を口部１８から取り外すときには、第１面３２ａよりも緩やかな上り勾配となるように形成される第４面３６ａを第６凸部５０ａが乗り越えることができる程度の力を加えてキャップ１４を回転させることによって、キャップ１４を口部１８から容易に取り外すことができる。このように、キャップ１４が口部１８から外れないように第６凸部５０ａを係止する第１面３２ａの傾きと、キャップ１４を口部１８から取り外すために第６凸部５０ａが乗り越える第４面３６ａの傾きとが異なるので、キャップ１４の固定力を大きくできるとともに、キャップ１４を容易に取り外すことができる。
【００４１】
また、キャップ１４を口部１８から取り外すとき、第６凸部５０ａが第４面３６ａを乗り越えることができる程度の力を加えてキャップ１４を回転させ、キャップ１４を胴部１６とは反対側に移動させる必要がある。言い換えると、第６凸部５０ａが第４面３６ａを乗り越えることができる程度の力を加えなければ、キャップ１４は口部１８から外れない。したがって、たとえば、第６凸部５０ａが第２閉位置に位置しているときに容器１０を倒してしまった場合等でも、キャップ１４が口部１８から外れてしまうことを抑制できる。
【００４２】
第６凸部５０ａが第２面３３ａおよび第３面３４ａを乗り越えて第１閉位置に移動するときに、クリック感を生じる。したがって、キャップ１４が口部１８に装着されたことをクリック感によって知ることができるので、キャップ１４を口部１８により確実に装着できる。
【００４３】
キャップ１４を第１方向Ｄに回転させることによって、第６凸部５０ａは、第９面４４ａを乗り越えることなく、第９面４４ａに沿って、第１方向Ｄに移動しながら胴部１６に近づくように移動する。したがって、キャップ１４を回転させることによって、第６凸部５０ａは第２面３３ａおよび第３面３４ａを乗り越えて第１閉位置に移動できるので、キャップ１４を口部１８に容易に装着できる。
【００４４】
第６面３８ａは、キャップ１４を口部１８に装着するときに、第６凸部５０ａが第２閉位置に位置しないように、第６凸部５０ａを係止する。したがって、第６凸部５０ａが第２開位置を通り、第２閉位置を通って第１閉位置に移動してキャップ１４が口部１８に装着されることを防止し、第６凸部５０ａが第１開位置から第１閉位置に移動することによってキャップ１４を口部１８に装着できる。これによって、キャップ１４が口部１８に装着されたことをクリック感によって知ることができるので、キャップ１４を口部１８により確実に装着できる。
【００４５】
キャップ１４を口部１８に被せたとき、第６凸部５０ａが、第６面３８ａまたは第１２面４８ａに接触したとしても、キャップ１４を第１方向Ｄに回転させることによって、第６凸部５０ａを第２面３３ａに向かって移動させることができる。したがって、キャップ１４を口部１８に装着するときに、第６凸部５０ａを第１開位置に容易に移動させることができるので、キャップ１４を口部１８に容易に装着できる。
【００４６】
口部１８の径方向において、第４面３６ａの高さＴ１および第７面４０ａのうち第４面３６ａと第６面３８ａとを繋ぐ部分の高さは、第１面３２ａの高さＴ２よりも低い。言い換えると、第１面３２ａの高さＴ２は、第４面３６ａの高さＴ１および第７面４０ａのうち第４面３６ａと第６面３８ａとを繋ぐ部分の高さよりも高い。したがって、キャップ１４を口部１８に装着するときには、第４面３６ａおよび第７面４０ａのうち第４面３６ａと第６面３８ａとを繋ぐ部分よりも高さが高い第１面３２ａが第６凸部５０ａを係止することによって、キャップ１４を口部１８から外れないように装着できる。一方、キャップ１４を口部１８から取り外すときには、第１面３２ａよりも高さが低い第４面３６ａおよび第７面４０ａのうち第４面３６ａと第６面３８ａとを繋ぐ部分を第６凸部５０ａが乗り越えることによって、キャップ１４を口部１８から容易に取り外すことができる。このように、キャップ１４の固定力をさらに大きくできるとともに、キャップ１４をさらに容易に取り外すことができる。
【００４７】
キャップ１４を第１方向Ｄとは反対向きに回転させることによって、第６凸部５０ａは、第１１面４６ａを乗り越えることなく、第１１面４６ａに沿って、第１方向Ｄとは反対向きに移動しながら胴部１６から離れるように移動する。したがって、キャップ１４を回転させることによって、第６凸部５０ａは第４面３６ａおよび第７面４０ａを乗り越えて第２開位置に移動できるので、キャップ１４を口部１８から容易に取り外すことができる。
【００４８】
上述の実施形態では、複数の嵌合部２０ａ〜２０ｄが、口部１８の周方向において、９０度ずつずれるように形成され、かつ連続して形成される場合について説明したが、これに限定されない。複数の嵌合部は、９０度ずつずれるように形成されなくてもよい。また、嵌合部は、少なくとも１つ形成されていればよい。
【００４９】
上述の実施形態では、複数の第６凸部５０ａ〜５０ｄがキャップ１４の周方向に等間隔に形成される場合について説明したが、これに限定されず、等間隔でなくてもよく、また第６凸部が少なくとも１つ形成されていればよい。
【００５０】
なお、この発明は、タンパーエビデンス機構を有する容器にも適用することができる。
【符号の説明】
【００５１】
１０      容器
１２      容器本体
１４      キャップ
１６      胴部
１８      口部
２０ａ，２０ｂ，２０ｃ，２０ｄ      嵌合部
２２ａ，２２ｂ，２２ｃ，２２ｄ      第１凸部
２４ａ，２４ｂ，２４ｃ，２４ｄ      第２凸部
２６ａ，２６ｂ，２６ｃ，２６ｄ      第３凸部
２８ａ，２８ｂ，２８ｃ，２８ｄ      第４凸部
３０ａ，３０ｂ，３０ｃ，３０ｄ      第５凸部
３２ａ，３２ｂ，３２ｃ，３２ｄ      第１面
３３ａ，３３ｂ，３３ｃ，３３ｄ      第２面
３４ａ，３４ｂ，３４ｃ，３４ｄ      第３面
３６ａ，３６ｂ，３６ｃ，３６ｄ      第４面
３７ａ，３７ｂ，３７ｃ，３７ｄ      第５面
３８ａ，３８ｂ，３８ｃ，３８ｄ      第６面
４０ａ，４０ｂ，４０ｃ，４０ｄ      第７面
４２ａ，４２ｂ，４２ｃ，４２ｄ      第８面
４４ａ，４４ｂ，４４ｃ，４４ｄ      第９面
４５ａ，４５ｂ，４５ｃ，４５ｄ      第１０面
４６ａ，４６ｂ，４６ｃ，４６ｄ      第１１面
４８ａ，４８ｂ，４８ｃ，４８ｄ      第１２面
５０ａ，５０ｂ，５０ｃ，５０ｄ      第６凸部
５２ａ，５２ｂ，５２ｃ，５２ｄ      第１３面
５４ａ，５４ｂ，５４ｃ，５４ｄ      第１４面
５６ａ，５６ｂ，５６ｃ，５６ｄ      第１５面
【図１】
2020040693.tif 000003
【図２】
2020040693.tif 000004
【図３】
2020040693.tif 000005
【図４】
2020040693.tif 000006
【図５】
2020040693.tif 000007
【図６】
2020040693.tif 000008
【図７】
2020040693.tif 000009
【図８】
2020040693.tif 000010
【図９】
2020040693.tif 000011
【図１０】
2020040693.tif 000012
【図１１】
2020040693.tif 000013
【図１２】
2020040693.tif 000014
【図１３】
2020040693.tif 000015
【図１４】
2020040693.tif 000016
【図１５】
2020040693.tif 000017
【図１６】
2020040693.tif 000018
【図１７】
2020040693.tif 000019
【図１８】
2020040693.tif 000020
【図１９】
2020040693.tif 000021
【図２０】
2020040693.tif 000022
【図２１】
2020040693.tif 000023
【図２２】
2020040693.tif 000024
【図２３】
2020040693.tif 000025